(57)【要約】【課題】インクジェットプリンタのインターフェイスの一つであるＵＳＢコネクタの外周に対してフェライト素子を装着することでＥＭＩ対策とする事は既知のことであるが、そのフェライト素子をコネクタに安定に固定する事をいままでは接着することで実現していた。本発明の目的は接着工数や、時間の節約を行うことである。【解決手段】構成としては、弾力部材７をＵＳＢコネクタとフェライト素子６の間に挟むことにより、おのおのの摩擦力により安定的に固定するとともに、弾性部材７により、フェライト素子６を振動等から保護する。【選択図】        図１
2004171886.tif 000002
【特許請求の範囲】
【請求項１】
機器本体に取り付けられた電気回路基板に実装されたＵＳＢコネクタを用いて外部機器との通信を可能とする電子機器において、
前記ＵＳＢコネクタの周囲にフェライト素子を配置したことを特徴とする電子機器。
【請求項２】
前記機器本体における前記ＵＳＢコネクタの差し込み口の前部は開口していて、前記開口部に外装部材が取り付けられていることを特徴とする電子機器であり、さらに前記フェライト素子は前記電気回路基板と前記外装部材との間に挟持され、かつ、あるいは前記フェライト素子自身と前記ＵＳＢコネクタの間に挟まった弾力部材により固定さことを特徴とする請求項１に記載の電子機器。
【請求項３】
前記フェライト素子は、前記電気回路基板に固定実装しているＵＳＢコネクタに対し弾力部材により摩擦固定されていることを特徴とする請求項１または２に記載の電子機器。
【請求項４】
前記フェライト素子は、前記電気回路基板に固定実装しているＵＳＢコネクタに対し弾力部材により摩擦固定されていることで、外部からの応力を吸収し素子を保護することを特徴とする請求項１または２に記載の電子機器。
【発明の詳細な説明】
【０００１】
【発明の属する技術分野】
本発明は、ＵＳＢ（Ｕｎｉｖｅｒｓａｌ  Ｓｅｒｉａｌ  Ｂｕｓ）コネクタを実装した電気回路基板を備えた電子機器に係り、特にＵＳＢケーブルからの電磁遮蔽に関するもので、特に電磁遮蔽の手段を前記電子機器に固定する固定方法に関するものである。
【０００２】
【従来の技術】
従来、ＵＳＢインターフェイス規格に準拠した機器間をケーブルによって接続するには、機器のマスター（主）対スレーブ（従）の関係において、それぞれＡタイプ（例えばフラット形状）、Ｂタイプ（例えば角筒形状）の口金形状のコネクタに接続して機器制御を行っている。
【０００３】
図３は例えばＢタイプの口金としてのコネクタ９を回路基板８上に実装した状態を示している。なお、４はコネクタ９を回路基板８のパターンにはんだ付けにより接続される接続端子を示している。
【０００４】
そして、ＵＳＢケーブルより放射される電磁波を除去（遮蔽）するために、ケーブルを管状のフェライト素子に通したり、電気回路基板上の伝送路にいわゆるフェライトビーズを配置して対処していた。
【０００５】
【発明が解決しようとする課題】
しかしながら、今までは機器から発生する電磁波雑音を防止するために専用の電磁波雑音の対策を施した接続ケーブルを同梱したり、電気回路基板上に数多くのフェライト素子を配置実装することで対処してきたが、機器の小型化や価格低減等の理由によりこのような対策をほどこすことが最近困難となってきている。それにひきかえ、機器の高速化等によりケーブルから誘導放射される電磁波雑音はより増える傾向にある。
【０００６】
本発明に係る発明の目的は、電磁波雑音対策が施されたＵＳＢケーブルを用いることなくＵＳＢケーブルより伝播する電磁波雑音を効率的に抑制できる電子機器を提供しようとするものである。かつそのための電磁遮蔽手段を効率よく安価に固定する手段を提供するものである。
【０００７】
【課題を解決するための手段】
本発明は、機器本体に取り付けられた電気回路基板に実装されたＵＳＢコネクタを用いて外部機器との通信を可能とする電子機器において、前記ＵＳＢコネクタの周囲にフェライト素子を配置したことを特徴とし、その固定に弾力のある固定部材を使用しておのおのの摩擦力を利用して効率よく固定することを特徴とする。
【０００８】
以上、本発明を整理して要約すれば以下の構成に集約できる。
【０００９】
（１）機器本体に取り付けられた電気回路基板に実装されたＵＳＢコネクタを用いて外部機器との通信を可能とする電子機器において、
前記ＵＳＢコネクタの周囲にフェライト素子を配置したことを特徴とする電子機器。
【００１０】
（２）前記機器本体における前記ＵＳＢコネクタの差し込み口の前部は開口していて、前記開口部に外装部材が取り付けられていることを特徴とする電子機器であり、さらに前記フェライト素子は前記電気回路基板と前記外装部材との間に挟持され、かつ、あるいは前記フェライト素子自身と前記ＵＳＢコネクタの間に挟まった弾力部材により固定さことを特徴とする前記（１）に記載の電子機器。
【００１１】
（３）前記フェライト素子は、前記電気回路基板に固定実装しているＵＳＢコネクタに対し弾力部材により摩擦固定されていることを特徴とする前記（１）または（２）に記載の電子機器。
【００１２】
（４）前記フェライト素子は、前記電気回路基板に固定実装しているＵＳＢコネクタに対し弾力部材により摩擦固定されていることで、外部からの応力を吸収し素子を保護することを特徴とする前記（１）または（２）に記載の電子機器。
【００１３】
【発明の実施の形態】
（第１の実施の形態）
図１は本発明の第１の実施の形態を示す。
【００１４】
図１において、１、２、３は全体が同じ素材（本発明の実施例においては比較的柔らかな弾力素材：例えばモールド素材）で構成しており、１は前記弾力素材の一部分を盛り上げて成型した凸部（表面）である。２は前記弾力素材において前記凸部（表面）１とは前記弾力素材の面に対して逆の方向に成型した凸部（裏面）２である。３は前記弾力素材を後述のＵＳＢコネクタの周囲形状に合致した形状に変形させるための折り曲げ線である。
【００１５】
以下に、本発明の実施例を図２により説明する。まず、図２において電気回路基板５の実装面には、ＵＳＢコネクタ４以外に他の回路構成部品（不図示）が実装されているが、ＵＳＢコネクタ４はこれら不図示の他の回路構成部品の実装時に、基板の平面に対して直交する方向にコネクタの差し込み口を向けて実装される。
【００１６】
ＵＳＢコネクタ４を実装した回路基板５を機器内部に実装した状態で、このＵＳＢコネクタ４は不図示の機器本体に対して露出していて、前記機器本体の開口露出部に取り付けることにより、外装部材（不図示）に設けたコネクタ窓（不図示）にＵＳＢコネクタ４の差し込み口が臨み、機器として完成する。
【００１７】
本実施の形態において、フェライト素子６は、外装部材（不図示）を取り付ける前に、ＵＳＢコネクタ４に前記機器本体の開口部側から装着され、その後に外装部材（不図示）を前記機器本体に取り付けることにより、ＵＳＢコネクタ４に対してフェライト素子６が抜けることなく固定される。その際に前記図１に示した本発明の実施例である弾性素材７を前記フェライト素子６と前記ＵＳＢコネクタ４との間に前記折り曲げ線３に沿って図１の１、および２の部分を変形させつつ隙間に詰め込む事により、前記フェライト素子６は前記ＵＳＢコネクタ４に摩擦固定される。
【００１８】
したがって、ＵＳＢコネクタ４の周囲に角筒状のフェライト素子６を外装し、前記弾性素材７を前記フェライト素子外装部材（不図示）の取り付けで抜けなく固定されるので、機器の小型化や価格低減の要請に応え、ＵＳＢケーブルに電磁波対策を施すことなくＵＳＢコネクタ４から放射される電磁波を除去できる。
【００１９】
（第２の実施の形態）
図４は本発明の第２の実施の形態を示し、図１および、図２と同じ働きをする物は同じ番号を示す。
【００２０】
本実施の形態が上記した第１の実施の形態と異なるのは、ＵＳＢコネクタ４にフェライト素子６を装着する際にあらかじめ前記弾性素材７がはめ込まれており、前記ＵＳＢコネクタ４とはこのフェライト素子６を挿入する際に、前記凸部（表面）１と摩擦して固定することであり、他の構成は同様なので、同じ部材には同じ符号を付してその説明を省略する。
【００２１】
なお、上記した各実施の形態では、ＵＳＢコネクタ２を角型のＢタイプを例にして説明したが、フラット形のＡタイプであっても良い。
【００２２】
【発明の効果】
以上説明したように、本発明によれば、ＵＳＢケーブルから伝播する電磁波雑音を効率的に抑制でき、かつ、ＵＳＢケーブルの差異による電磁波雑音の遮蔽特性のばらつきを憂慮することなく、従来のようにケーブル自体に電磁波雑音対策を施す等といった電磁波雑音対策部品を数多く削減でき、ひいては省スペース化、省コスト化を実現できる。同時に、弾力部材を使用することにより、外部からの応力を緩衝することが可能であり、振動等によるフェライト素子の破損を防止できる効果がある。
【図面の簡単な説明】
【図１】本発明の第１の実施の形態の一例を示す図
【図２】本発明の第１の実施の形態の電子機器を示す図
【図３】従来例を示し、（ａ）はＵＳＢコネクタを実装した電気回路基板の上面図、（ｂ）はその断面図
【図４】本発明の第２の実施の形態を示す図
【符号の説明】
１  凸部（表面）
２  凸部（裏面）
３  折り曲げ線
４  ＵＳＢコネクタの接続端子
５  電子回路基板
６  フェライト素子
７  弾力隙間保持手段（弾性素材）
【図１】
2004171886.tif 000003
【図２】
2004171886.tif 000004
【図３】
2004171886.tif 000005
【図４】
2004171886.tif 000006